(57)【要約】【構成】蛍光性を有するダイヤモンド３に、波長が４００−４１０ｎｍの発光ダイオード４の青色光を照射して、無色透明のダイヤモンドを青色蛍光色のダイヤモンドに変化させるようにしてなる宝飾品１。【効果】蛍光性のない無色透明のダイヤモンドに波長が４００−４１０ｎｍの発光ダイオードの青色光を照射しても青色蛍光色のダイヤモンドに変化させることが出来ないが、蛍光性を有するダイヤモンドに、波長が４００−４１０ｎｍの発光ダイオードの青色光を照射すると、無色透明のダイヤモンドを青色蛍光色のダイヤモンドに変化させ得ることが判った。【選択図】図１
2006247135.tif 000002
【特許請求の範囲】
【請求項１】
蛍光性を有するダイヤモンドに、波長が４００−４１０ｎｍの発光ダイオードの青色光を照射して、無色透明のダイヤモンドを青色蛍光色のダイヤモンドに変化させるようにしてなることを特徴とする宝飾品。
【請求項２】
蛍光性を有する天然ダイヤモンドに、波長が４００−４１０ｎｍの青色発光ダイオードの青色光が照射されるように、当該天然ダイヤモンドと発光ダイオードを配置してなる上部体と、電源部と接続部材とを備えてなる下部体とを有してなると共に、当該上部体と下部体とが開閉可能に構成されてなることを特徴とする宝飾品。
【発明の詳細な説明】
【技術分野】
【０００１】
本発明は、宝飾品、特に、蛍光性を帯びたダイヤモンドに、波長が４００−４１０ｎｍの発光ダイオードの青色光を照射して、無色透明のダイヤモンドを青色蛍光色のダイヤモンドに変化させ夜間でも鮮明に光るようにしてなる宝飾品に関するものである。
【背景技術】
【０００２】
光は、その波長（λ）が約１ｎｍ−１ｍｍの範囲にある電磁波で、一般に、その中で、約１−４００ｎｍのものを紫外線といい、又、４００ｎｍ−７５０ｎｍの範囲のものを可視光線といい、更に、７５０ｎｍ−１ｍｍの範囲のものを赤外線と呼んでいる。
紫外線は、可視光線より波長が短く、その光を視認することが出来ない。紫外線は、殺菌力が強く紫外線殺菌ランプなどに使用されており、手に当たる光が見えず、光が見えないからといってのぞき込んだりすることは危険である旨の注意書きがされたりしている。当該紫外線ランプ（灯）は、真空放電などの放電現象により紫外光を作り出す。
一方、発光ダイオード（ｌｉｇｈｔ  ｅｍｉｓｓｉｏｎ  ｄｉｏｄｅ、ＬＥＤ）は、当該紫外線ランプ（灯）のような放電現象により発光させるものではなく、半導体のｐ−ｎ接合の順方向に電流を流すと光を発生させるもので、当該ＬＥＤは、当該紫外光が約１−４００ｎｍの範囲にありその光を視認できないのに対して、４００−７５０ｎｍの範囲の波長の光即ち可視光線を発光させるので、その光を視認することができる。
図７は、人の比視感度曲線を表したもので、上記の発光ダイオードは、約７００ｎｍの赤色光から約４００ｎｍの紫色光の範囲まで存在し、その材料により発光させる色を異ならせることができ、例えば、ガリウム−リンで赤色光を発する。波長の高い方から低い方にかけて、赤、橙、黄、緑、青、紫の順序になっている。従来から赤色、緑色及び黄色の発光ダイオードは比較的に容易に得られていたが、波長の小さい４００−４５０ｎｍの青色ダイオードは困難とされていたが、近時、当該青色ダイオードが比較的に安く手に入るようになり、又、従来のものに比較して高輝度の青色ダイオードが入手できるようになり、ここ数年で急速に青色ダイオードが広まるようになってきた。
ところで、ダイヤモンドは、紫外線を当てると石により様々な蛍光を発することが知られている。
当該蛍光（Ｆｌｕｏｒｅｓｃｅｎｃｅ）は、前記した紫外線灯を使用することで、確認できる。
当該蛍光の確認に使用されるライト（ランプ）は、ダイヤモンドライトとかブラックライト（ｂｌａｃｋ  ｌｉｇｈｔ）とか称されるが、いずれにしても、前記した紫外線灯を内蔵させたもので、放電によるスペクトルの不可視領域（紫外もしくは赤外）からの光放射をダイヤモンドに照射すると、紫外線により当該蛍光（性）を有するものは、青く光らせることができる。一方、合成ダイヤモンドでは青く光らすことが出来ない。そこで、当該ブラックライト等は、ダイヤモンドの鑑定に使用される。又、蛍光性を持ったダイヤモンドについてイヤリング等の宝石を構成して、薄暗いディスコなどの蛍光ランプ（紫外線ランプと同様に放電による不可視領域の光放射）の下で青白く光るようにしたものがある。
当該紫外線ランプや発光ダイオードを用いた宝飾品やダイヤモンドの蛍光については、実開昭６４−１０２０９号公報には、ネクタイピンなどの装身具本体の宝石等からなる装飾部に発光ダイオードを取り付けた装身具が記載され、実開平２−８２９１５号公報には、宝石と発光ダイオードなどからなる発光素子とからなる宝飾品が記載され、特開平７−２４１２０２号公報には、装身具用の石に発光ダイオードを埋め込んだ宝石が記載され、特開２００４−１６７１９４，同２００４−１６７１９５及び同２００４−１６７１９６号公報には、それぞれ、宝石部分の底に発光素子を取り付けたイアリング、指輪及びネックレスが記載され、特開平１０−２０１５０９号公報には、ダイヤモンドの有する光学的な特徴を利用して紫外線が照射されたときに所定の表示を行うようにした宝飾品が記載され、たとえば、蛍光を発するダイヤモンドと蛍光を発しないダイヤモンドを配列して、結婚記念日などの日付を表示するようにした宝飾品が記載され、特開２００１−２１１９２２号公報には、蓋の内側に紫外線ランプを取り付け、蓋が開けられると紫外線ランプからの紫外線が照射されるようにした宝石箱が記載されている。
しかしながら、上記実開昭６４−１０２０９号公報、実開平２−８２９１５号公報、特開平７−２４１２０２号公報、特開２００４−１６７１９４，同２００４−１６７１９５及び同２００４−１６７１９６号公報には、発光ダイオードを用いた記載があるが、蛍光性について触れる記載が全くなく、要は、宝石は自ら発光するものではないので、発光ダイオードの光を当てるとあたかも発光するが如きで、光効果を高め、その豪華さを増すことが出来ることだけが記載されている。
一方、特開平１０−２０１５０９号公報及び特開２００１−２１１９２２号公報には、ダイヤモンドの蛍光について触れる記載はあるが、紫外線による蛍光についてのみ触れられているにしか過ぎない。
【特許文献１】実開昭６４−１０２０９号公報、実開平２−８２９１５号公報、特開平７−２４１２０２号公報、特開２００４−１６７１９４，同２００４−１６７１９５及び同２００４−１６７１９６号公報、特開平１０−２０１５０９号公報及び特開２００１−２１１９２２号公報
【発明の開示】
【発明が解決しようとする課題】
【０００３】
本発明者らは、たまたま、蛍光性を帯びたダイヤモンドに、特定の範囲の波長の発光ダイオードの青色光を照射したところ、無色透明のダイヤモンドが青色蛍光色のダイヤモンドに変化させることができることを知見した。
本発明は、上記知見に基づき新規な技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）蛍光性を有するダイヤモンドに、波長が４００−４１０ｎｍの発光ダイオードの青色光を照射して、無色透明のダイヤモンドを青色蛍光色のダイヤモンドに変化させるようにしてなることを特徴とする宝飾品。
（請求項２）蛍光性を有する天然ダイヤモンドに、波長が４００−４１０ｎｍの青色発光ダイオードの青色光が照射されるように、当該天然ダイヤモンドと発光ダイオードを配置してなる上部体と、電源部と接続部材とを備えてなる下部体とを有してなると共に、当該上部体と下部体とが開閉可能に構成されてなることを特徴とする宝飾品。
【発明の効果】
【０００５】
本発明によれば、波長が４００−４１０ｎｍの発光ダイオードの青色光を、無色透明の蛍光性のないダイヤモンドに照射しても、ダイヤモンド本体の色は変わらないが、蛍光性を帯びたダイヤモンドに照射すると、紫外光と同様に、その蛍光性により、無色透明のダイヤモンドが青色蛍光色のダイヤモンドに変化させることができることが判明し、それにより、発光ダイオードの青色光を照射しないときには、無色透明の宝飾品としておき、夜間など、青色に変化させたいときには、発光ダイオードの青色光を照射するようにして、リング・ペンダントやブローチやイヤリングなどの宝飾品として使用できるものを開発する事が出来た。
又、本発明によれば、蛍光性を有する天然ダイヤモンドに、波長が４００−４１０ｎｍの青色発光ダイオードの青色光が照射されるように、当該天然ダイヤモンドと発光ダイオードを配置してなる上部体と、電源部と接続部材とを備えてなる下部体とを有してなると共に、当該上部体と下部体とが開閉可能に構成されてなるので、電源部における電池等の交換が容易である等の利点を有する宝飾品を得ることが出来た。
【発明を実施するための最良の形態】
【０００６】
次に、本発明の実施例を図面を参照しつつ説明する。
【実施例】
【０００７】
実施例１
図１から図５に基づいて説明する。
図示のように、宝飾品１の上部体の筒状部２に蛍光性を有する天然ダイヤモンド（粒）３を配置し、当該蛍光性を有する天然ダイヤモンド３に、発光ダイオード４の光が照射されるように、発光ダイオード４を配置する。発光ダイオード４は、支持体５により支持されている。
当該ダイヤモンドの蛍光性（Ｆｌｕｏｒｅｓｃｅｎｃｅ、フローレッセンス）の有無、強弱については、次の段階がある。
ＮＯＮＥ（ｎｉｌ）Ｎｏｎ  無し、全く青色に変化しない
ＦＡＩＮＴ（ｓｌｉｇｈｔ）  弱い、やや青色に変化
ＭＥＤＩＵＭ  ＢＬＵＥ（ｍｅｄｉｕｍ）  中、ＦＡＩＮＴより濃い色の青色に変化
ＳＴＲＯＮＧ  ＢＬＵＥ（ｓｔｒｏｎｇ）  かなり鮮やかな青色に変化
ＶＥＲＹ  ＳＴＲＯＮＧ  ＢＬＵＥ  強烈な青色に変化
蛍光性の有無については、波長が４００−４１０ｎｍの発光ダイオードの青色光を当ててもよいし、ブラックライトにあてて、青く光るかどうかで見ることができる。
蛍光が、光のエネルギーとダイヤモンド中の原子との相互作用の結果生じる点では、紫外光と発光ＬＥＤ光とでは共通するが、その蛍光が、紫外線の場合には、青みがかった色の可視光線に変わる結果生じるのに対して、発光ＬＥＤでは、元々、可視光線の青色が照射されて、無色のダイヤモンドが夜間でも鮮明な青色に変化する。
合成ダイヤモンドは、使用できない。
【０００８】
発光ダイオードの例としては、例えば、サファイア基板上にＧａＮ（窒化ガリウム）層よりなるＰ型半導体層とｎ型半導体層を有機金属気相成長法で成長させてなる青色ＬＥＤ素子を挙げることができる。
発光ダイオードには、その波長が４００−４１０ｎｍの範囲にある青色ダイオードが用いられる。
青色ダイオードの波長が４００ｎｍ未満では、蛍光性を有するダイヤモンドであっても、無色透明のダイヤモンドを青色蛍光色のダイヤモンドに変化させることができない。又、波長が４１０ｎｍを超えて４５０ｎｍ位迄は無色透明のダイヤモンドを青色蛍光色のダイヤモンドに変化させることはできるが、４１０ｎｍの範囲内で最も鮮明な青色蛍光色を発しさせることを発見した。
次の表１に発光ダイオードについての材質と発光波長と発光色との関係を示してあるが、上記の４００−４１０ｎｍの範囲に入らないここで例示されたような例えば発光波長が９４０ｎｍの赤外発光ダイオードや黄色ダイオードなどの発光ダイオードは使用できず、仮に、当該範囲を逸脱すれば、青色発光ダイオードでも使用できない。
【０００９】
【表１】
2006247135.tif 000003
【００１０】
リング状の下部体６には、電池などからなる電源部７が配され、当該電源部７は、例えば、プリント基板８と接点９とを有してなる接続部材を介して、上部の筒状部２における発光ダイオード４と電気的に接続されている。
当該下部体６には、電源側とプリント基板側とに各々例えばサファイアガラスや地金のような保護材や装飾材１０が設けられている。
当該下部体６の外部には、スイッチ部１１が設けられ、当該スイッチ部は、例えば、メインスイッチと点滅用スイッチとより構成することができる。自動又は手動でスイッチング機能を果たさせることができる。
スイッチ部１１のスイッチＯＮにより、電源部７から上部の筒状部２の発光ダイオード４への給電が開始され、スイッチＯＦＦによりその給電が停止される。光センサやパルス点灯（一定の時間サイクルの中で比較的に短い間だけ点灯させる。）機能を奏させるようにしてもよい。
【００１１】
上記の上部体２と下部体６とよりなるペンダント様宝飾品１は、ほぼ中央付近で開閉が可能となっている。下部体６の下部には、当該開閉が容易なように、溝１２が施されている。
当該開閉により、電源部７の電池などの交換も容易に行える。
当該ブローチ様宝飾品１には、その上部に吊提部１３が設けられており、当該吊提部１３に鎖などを連結させることができる。
【００１２】
実施例２
図６に示す実施例は、図示のように、本体部１４の支持体１５の中央に蛍光性を有する天然ダイヤモンド３を配置し、当該蛍光性を有する天然ダイヤモンド３に、発光ダイオード４の光が照射されるように、発光ダイオード４を配置し、接点９を介して電源部７と当該発光ダイオード４とを電気的に接続する。本体部１４には、脱着可能な蓋部１６を取り付けられるようになっている。蓋部１６には、スイッチ部１１が設けられている。
当該発光ダイオード４には、その波長が４００−４１０ｎｍの青色光の発光ダイオードが用いられ、当該発光ダイオードの例としては、例えば、サファイア基板上にＧａＮ（窒化ガリウム）層よりなるＰ型半導体層とｎ型半導体層を有機金属気相成長法で成長させてなる青色ＬＥＤ素子を挙げることができる等、前記実施例と同様である。
【００１３】
本発明は上記実施例に限定されず、適宜変更が可能である。吊提部に代えてクリップなどとしてもよい。
【産業上の利用可能性】
【００１４】
本発明は、ペンダント、ブローチ、イヤリング、指輪等の各種の宝飾品に適用できる。又、ハンドバック、帯留め等の装身具にも適用できる。
【図面の簡単な説明】
【００１５】
【図１】本発明の実施例を示す宝飾品の側断面図である。
【図２】本発明の実施例を示す宝飾品の正面図である。
【図３】本発明の実施例を示す宝飾品の側断面図である。
【図４】本発明の実施例を示す宝飾品の開閉説明図である。
【図５】本発明の実施例を示す宝飾品の裏面図である。
【図６】本発明の実他の施例を示す宝飾品の側断面図である。
【図７】人の視感度曲線を示すグラフである。
【符号の説明】
【００１６】
１    宝飾品
３    蛍光性を有する天然ダイヤモンド
４    ４００−４１０ｎｍの青色光の発光ダイオード
【図１】
2006247135.tif 000004
【図２】
2006247135.tif 000005
【図３】
2006247135.tif 000006
【図４】
2006247135.tif 000007
【図５】
2006247135.tif 000008
【図６】
2006247135.tif 000009
【図７】
2006247135.tif 000010